(57)【要約】【課題】  接触不良の発生を低減させる電池パック及び電子機器を提供する。【解決手段】  電池ケース７には、単三乾電池と形状の等しい円筒形の二次電池５，６の周面にそれぞれ沿う円弧面を備えた凹部１０ａ〜１０ｄが形成されている。電池ケース７の長手方向の両側面には、大きさの異なる半円状の切欠き１２、１３が形成されている。二次電池５、６は、正極および負極が互いに逆向きで凹部１０ａ、１０ｂに嵌め込まれる。窪み１８を中心に電池ケース７が折り曲げられて、係合爪１５と被係合部材１６を係合させると電池パック２になる。電池パック２の開口部２０，２１から二次電池５、６の正極及び負極が露呈し、二次電池５，６は、その軸心を中心に回転自在に収容されている。【選択図】        図１
2005235650.tif 000002
【特許請求の範囲】
【請求項１】
円筒形状の両端に電極を備えた複数の二次電池と、その長手方向を一致させて並べた前記複数の二次電池を一体に収容する電池ケースとからなる電池パックにおいて、
前記電池ケースは、前記二次電池の長手方向に設けられた両端面から前記電極を露呈させ、かつ前記複数の各二次電池を、その軸心を中心に回転可能に収容したことを特徴とする電池パック。
【請求項２】
前記電池ケースには、ヒンジ部又は折曲げ部が設けられており、前記電池ケースは前記ヒンジ部又は折り曲げ部によって開閉自在の蓋が設けられており、前記複数の二次電池を着脱自在に収容することを特徴とする請求項１記載の電池パック。
【請求項３】
前記電池ケースは、少なくとも２つのケース部材から構成されており、前記ケース部材は互いに着脱自在にされ、前記複数の二次電池を着脱自在に収容することを特徴とする請求項１記載の電池パック
【請求項４】
二次電池が装填される電池室を備え、前記二次電池を電源として駆動する電子機器において、
前記二次電池に設けられた電極と当接する第１突起と、この第１突起の近傍に前記第１突起より高さの低い第２突起とを有する端子を前記電池室に設けたことを特徴とする電子機器。
【請求項５】
前記電池室は、スライドによって開閉する蓋を有しており、前記端子が蓋に設けられている場合には、前記蓋に設けられた端子の前記第１及び第２突起は、前記蓋のスライドに伴う前記第１及び第２突起のスライド経路がお互いに干渉しないように配置されていることを特徴とする請求項４記載の電子機器。
【請求項６】
前記請求項１ないし３いずれか記載の電池パックを装填可能な電池室を備えたことを特徴とする請求項４または５記載の電子機器。
【請求項７】
電極の配置方向を交互に逆向きにして並べた偶数の二次電池を一体に収容した電池パックが装填される電池室を備え、前記電池パックを電源として駆動する電子機器において、  前記電池室には前記電池パックの電極と当接する端子が設けられており、前記端子は前記電池室内で隣接する二次電池の同電極に当接する位置が、互いに異なるように配置されていることを特徴とする電子機器。
【発明の詳細な説明】
【技術分野】
【０００１】
本発明は、複数の円筒形の２次電池を収容する電池パック及び二次電池を使用する電子機器に関するものである。
【背景技術】
【０００２】
近時、各種の電子機器の電源としてニッケル・水素電池やニッケル・カドミウム電池等の二次電池が用いられている。消費電力の大きいデジタルカメラ等の電子機器には、複数の二次電池を装填する電池室が設けられている。このような電子機器では、使いやすさを考慮して、複数の二次電池を合成樹脂等の電池ケースによって一体に収容した電池パックを使用するものがある。電池パックを使用する際には、電子機器の電池室に電池パックを装填し、電池パックから露呈した正極及び負極に電池室や電池室の蓋に設けられた端子を当接させる。
【発明の開示】
【発明が解決しようとする課題】
【０００３】
電池パックに収容されている二次電池は、繰り返し充電が可能である。また、一般の電池パックでは、二次電池が電池ケース内でしっかりと固定されている。そのため、電池パックが電子機器で繰り返し使用されると、電池パックに収容された二次電池の正極及び負極に対して、電子機器の電池室及び電池室に設けられた蓋に備えられている端子は、正極及び負極の同じ場所に繰り返し当接する。二次電池の正極及び負極は、鉄にニッケルメッキが３〜４ミクロンの厚さで施されている。しかし、正極及び負極の同じ場所に端子が繰り返し当接すると、この端子によってニッケルメッキを傷つけてしまい鉄が露出する。この露出した鉄の部分では、時間の経過とともに錆が発生する。すると、錆の部分に当接している端子部分の抵抗が増大して接触不良を起こすので、電子機器の動作時間の低下や電子機器が動作しなくなるという問題があった。
【０００４】
本発明は、上記問題点を解決するためになされたものであり、接触不良の発生を低減させることで、より多くの繰り返し使用が可能な電池パック及び電子機器を提供することを目的とする
【課題を解決するための手段】
【０００５】
上記目的を達成するために、本発明の電池パックは、円筒形状の両端に電極を備えた複数の二次電池と、その長手方向を一致させて並べた前記複数の二次電池を一体に収容する電池ケースとからなる電池パックにおいて、前記電池ケースは、前記二次電池の長手方向に設けられた両端面から前記電極を露呈させ、かつ前記複数の各二次電池を、その軸心を中心に回転可能に収容したことを特徴とするものである。また、前記電池ケースには、ヒンジ部又は折曲げ部が設けられており、前記電池ケースは前記ヒンジ部又は折り曲げ部によって開閉自在の蓋が設けられており、前記複数の二次電池を着脱自在に収容してもよい。また、前記電池ケースは、少なくとも２つのケース部材から構成されており、前記ケース部材は互いに着脱自在にされ、前記複数の二次電池を着脱自在に収容してもよい。
【０００６】
さらに、本発明の電子機器は、二次電池が装填される電池室を備え、前記二次電池を電源として駆動する電子機器において、前記二次電池に設けられた電極と当接する第１突起と、この第１突起の近傍に前記第１突起より高さの低い第２突起とを有する端子を前記電池室に設けたことを特徴とするものである。また、前記電池室は、スライドによって開閉する蓋を有しており、前記端子が蓋に設けられている場合には、前記蓋に設けられた端子の前記第１及び第２突起は、前記蓋のスライドに伴う前記第１及び第２突起のスライド経路がお互いに干渉しないように配置されていることが好ましい。また、本発明の電子機器は、上記記載の電池パックが装填可能な電池室を備えてもよい。
【０００７】
さらにまた、本発明の電子機器は、電極の配置方向を交互に逆向きにして並べた偶数の二次電池を一体に収容した電池パックが装填される電池室を備え、前記電池パックを電源として駆動する電子機器において、前記電池室には前記電池パックの電極と当接する端子が設けられており、前記端子は前記電池室内で隣接する二次電池の同電極に当接する位置が、互いに異なるように配置したものである。
【発明の効果】
【０００８】
本発明によれば、円筒形状の両端に電極を備えた複数の二次電池と、その長手方向を一致させて並べた複数の二次電池を一体に収容する電池ケースとからなる電池パックにおいて、電池ケースは、二次電池の長手方向に設けられた両端面から電極を露呈させ、かつ複数の各二次電池を、その軸心を中心に回転可能に収容しているので、繰り返し使用される二次電池の正極及び負極の同一箇所が電子機器などの端子によって傷付くことを低減できるので、接触不良を防止となる。また、二次電池を収容した電池パックをより多く繰り返して使用することができる。                                                            
【０００９】
また、二次電池が装填される電池室を備え、二次電池を電源として駆動する電子機器において、二次電池に設けられた電極と当接する第１突起と、この第１突起の近傍に第１突起より高さの低い第２突起とを有する端子を電池室に設けたり、さらに、電池室を構成する蓋に第１及び第２突起を有した端子を備え、蓋のスライドに伴う第１及び第２突起のスライド経路がお互いに干渉しないように配置されているので、第１及び第２突起が二次電池の正極及び負極の同一箇所を傷つけることは無い。よって、第１突起が接触不良を起こしても、第２突起が二次電池の正極及び負極に当接するので、接触不良による電子機器の動作不良などを防止できる。
【００１０】
また、電極の配置方向を交互に逆向きにして並べた偶数の二次電池を一体に収容した電池パックが装填される電池室を備え、電池パックを電源として駆動する電子機器において、電池室には電池パックの電極と当接する端子が設けられており、端子は電池室内で隣接する二次電池の同電極に当接する位置が、互いに異なるように配置されているので、電池室に装填する電池パックの挿入方向によって二次電池の正極及び負極と当接する端子の当接位置が異なり、電池パックを繰り返して使用することによる接触不良を低減できる。また、電池パックをより多く繰り返して使用することができる。
【発明を実施するための最良の形態】
【００１１】
図１（Ａ）に示すように、電池パック２は、例えば単三乾電池と形状の等しい円筒形の二次電池５，６と、これら二次電池５，６を一体に収容する電池ケース７とから構成されている。この二次電池５，６としては、ニッケル・水素電池が使用されている。電池ケース７は合成樹脂で形成されており、各二次電池５、６の周面にそれぞれ沿う円弧面を備えた凹部１０ａ〜１０ｄが並列に形成されている。この凹部１０ａ〜１０ｄは、二次電池５、６の周面よりもやや大きく形成されている。さらに、電池ケース７の長手方向の両側面の凹部１０ａ〜１０ｄに対応する部分には、大きさの異なる半円状の切欠き１２、１３が形成されている。さらに、長さの短い一方の側面には係合爪１５が、他方の側面には被係合部材１６が設けられている。なお、二次電池５、６はニッケル・水素電池を使用したが、ニッケル・カドミウム電池等の二次電池を使用してもよい。
【００１２】
二次電池５、６は、正極および負極が互いに逆向きに並列で配置され、電池ケース７の凹部１０ａ、１０ｂに嵌め込まれる。その際に、二次電池５、６に設けられた正極側の突出部１７が、電池ケース７の長手方向に設けられた半円状の切欠き１２に嵌め込まれる。切欠き１２に嵌め込まれた突出部１７の端面は、電池ケース７の長手方向の側面と略同一平面上に配置される。二次電池５、６が凹部１０ａ、１０ｂに嵌め込まれると、電池ケース７は、その長手方向の略中間部分に設けられた折り曲げ部である窪み１８を中心に、蓋である凹部１０ｃ、１０ｄを有する電池ケース７の図中奥側半分を、凹部１０ａ、１０ｂと凹部１０ｃ、１０ｄが対向するように折り曲げられる。そして、係合爪１５と被係合部材１６を係合させることで、二次電池５は電池ケース７の凹部１０ａ、１０ｄに収容され、二次電池６は凹部１０ｂ、１０ｃに収容されているので、図１（Ｂ）に示す電池パック２となる。なお、二次電池５、６は、係止爪１５及び被係合部１６の係合を外すことで着脱自在に収容されている。また、電池ケース７を折り曲げるために折り曲げ部である窪み１８を設けたが、ヒンジを設けてもよい。
【００１３】
図１（Ｂ）に示すように、電池パック２の両端面２ａ、２ｂには、切欠き１２、１３によって開口部２０、２１が形成されている。開口部２０は外径が二次電池５，６の正極側の突出部１７の外径よりやや大きい形状をしており、開口部２１は、二次電池５，６の負極部とほぼ同じ外径である。また、負極は電池ケースの中に電池ケースの厚み分だけ引っ込んでいる。従って、二次電池５、６の正極及び負極が電池パック２の両端面２ａ、２ｂから露呈している。また、電池ケース７に設けられた凹部１０ａ〜１０ｄは、二次電池５，６の円周よりもやや大きいために、電池パック２に収容された二次電池５、６は、その軸心を中心にして回転自在に収容されている。なお、二次電池５，６を電池ケース７に配置する際には、正極側の突出部１７を嵌め込む切欠き１２が設けられているため、二次電池５、６の配置方向を間違えることはない。
【００１４】
図２に示すように、充電された二次電池５、６を収容した電池パック２は、デジタルカメラ２３の電源として使用される。デジタルカメラ２３は、その底面に電池室２４を設けている。電池室２４は、装填室２５と蓋３３から構成されている。装填室２５は電池パック２と略同形状をしており、装填室２５の底面には正極端子２６及び負極端子２７が設けられている。装填室２５の正極端子２６及び負極端子２７は、図中点線で示すように、金属製の薄板が折り曲げられて弾性変形が可能に形成されている。さらに、図３及び図４にも示すように、金属製の薄板には、装填される電池パック２の方向に突出した高さの異なる正規突起２８、２９（第１突起）及び予備突起３０、３１（第２突起）が設けられている。図３の拡大図に示すように、予備突起３０は正規突起２８よりも０．１〜０．３ミリ程度低く形成されているので、電池パック２が装填室２５に装填された際には、開口部２０から露呈している正極及び負極には正規突起２８のみが当接する。なお、予備突起３０と正規突起２８の高さの差を０．１〜０．３ミリ程度にしたが、これに限らず、適宜高さの差を設定することが好ましい。また、負極端子２７の正規突起２９及び予備突起３１も正極端子２６の正規突起２８及び予備突起３０と同様の構成である。        
【００１５】
図２に示す蓋３３は、デジタルカメラ２３の底面の一部を構成し、スライドによって着脱が可能である。蓋３３の裏側には、金属製の接続端子３４が設けられている。図３及び図５にも示すように、この接続端子３４には、所定の間隔をあけて正規突起２８及び予備突起３０からなる正極接続部３５、及び正規突起２９及び予備突起３１からなる負極接続部３６が形成されている。正規突起２８、２９及び予備突起３０、３１は、装填室２５の正規突起２８、２９及び予備突起３０、３１と同様の構成である。また、所定の間隔としては、蓋３３が取り付けられた際に、電池室２５に装填された電池パック２の開口部２０、２１から露呈している正極及び負極に対応する位置である。さらに、正極及び負極接続部３５、３６の正規突起２８、２９及び予備突起３０、３１は、蓋３３をデジタルカメラ２３の本体に取り付ける際のスライド方向と直交する方向に並べられている。そのため、蓋３３をスライドさせた時の正規突起２８及び予備端子３０のスライド経路と、正規端子２９及び予備端子３１のスライド経路とが互いに干渉することはない。なお、接続部材３４には、正極接続部３５及び負極接続部３６が共に設けられているので、装填室２５に装填された電池パック２の二次電池５，６は直列に接続される。また、正極及び負極端子２６、２７と接続端子３４に設けられている正規突起２８、２９及び予備突起３０、３１は、二次電池５、６の軸心から外れた位置に設けることが好ましい。
【００１６】
図２に示すように、電池パック２が装填室２５に装填されると、電池パック２の一方の端面２ａが僅かにデジタルカメラ２３の本体に設けられた支持枠４０の上面から突出する。蓋３３を閉める際には、支持枠４０の上面から突出した電池パック２の一方の端面２ａを蓋３３の裏面で押圧しながら、蓋３３をデジタルカメラ２３の本体の支持枠４０に沿ってスライドさせ、蓋３３に設けられた突起部４１ａ〜４１ｄ（図５参照）をそれぞれデジタルカメラ２３の位置決め穴４３ａ〜４３ｄに挿入させるとともに、フック４５をフック穴４６に引っ掛けることにより装填室２５を閉じている。これにより、蓋３３の裏に設けられた正極及び負極接続部３５，３６の正規突起２８，２９は、電池パック２の一方の端面２ａから露呈している正極及び負極に当接しながらスライドを行う。さらに、図３にも示すように、電池パック２の他方の端面２ｂから露呈している正極及び負極は、装填室２５の正極及び負極端子２６，２７を図２の点線で示す無負荷状態から図３に示す負荷状態に変形させ、電池パック２が電池室２４に収容される。
【００１７】
これにより、電池パック２に一方の端面２ａでは、開口部２０、２１から露呈している正極及び負極に対して、正極及び負極接続部３５、３６の正規突起２８、２９が当接しており、電池パック２の他方の端面２ｂでは、開口部２０、２１から露呈している正極及び負極が正極及び負極端子２６、２７の正規突起２８，２９と当接しているので、デジタルカメラ２３に給電が行われる。また、蓋３３を取り外す場合は、滑止部４７を押圧してフック４５を外し、蓋３３を図２の矢印と逆方向にスライドさせる。すると、電池パック２は装填室２５の正極及び負極端子２６、２７は負荷状態から無負荷状態に弾性変形するために、支持枠４０の上面から電池パック２の一方の端面２ａが突出する。
【００１８】
また、デジタルカメラ２３の電池室２４は、電池パック２の他に市販の単三乾電池が使用可能に、互換性を持って収容できる構成とされている。電池パック２が出力不足になった場合には、図６に示すように、単三乾電池５０を装填室２５に装填することでデジタルカメラ２３の使用が可能となる。装填室２５に単三乾電池５０が装填されると、装填室２５の側壁と単三乾電池５０の間に電池ケース７の厚み分の隙間が生じる。しかし、二次電池５、６の円筒面を覆う部分の電池ケース７の厚みは薄く形成されているので、単三乾電池５０が装填室２５内の隙間の間で動いても、正極及び負極端子２６，２７と接続端子３４に設けられた正規突起２８、２９及び予備突起３０、３１は、単三乾電池５０の正極及び負極から外れることはない。
【００１９】
次に、上記構成の電池パック２及びデジタルカメラ２３の作用について説明する。単三乾電池と同形状の二次電池５、６を電池ケース７に収容した電池パック２をデジタルカメラ２３に使用する。電池パック２の二次電池５、６は充電が可能な為、繰り返して使用することができる。電池ケース７に設けられた凹部１０ａ〜１０ｄ及び開口部２０は、二次電池５、６の円周及び突出部１７の外径よりも僅かに大きく形成されている。そのために、電池ケース７に収容された二次電池５、６は、装填室２５に電池パック２を装填する場合や電池パック２を抜取る場合に、電池パック２の姿勢の変化に伴って、二次電池５、６は、その軸心を中心に回転する。従って、電池パック２が再び装填室２５に装填された場合でも、正極及び負極端子２６、２７と接続端子３４側に設けられた正規突起２８、２９は、正極及び負極の前回当接した場所と異なる場所に当接する。これにより、正規突起２８、２９によって、二次電池５，６の正極及び負極のニッケルメッキが傷つけられることを低減できる。
【００２０】
さらに、正極及び負極端子２６、２７と接続端子３４は、正規突起２８、２９の他に僅かに高さの低い予備突起３０、３１を有している。そのため、電池パック２を繰り返して使用することで、正規突起２８、２９が正極及び負極に施されたニッケルメッキに傷を付けて溝ができてしまい、この溝の部分に錆が発生して接触不良を起こしても、予備突起３０、３１が正極や負極の傷ついていないニッケルメッキ部分に当接するので、接触不良によってデジタルカメラ２３の動作時間が短くなったり、動作しなくなることを低減できる。
【００２１】
また、上記実施形態の電池パック２は、一方の端面２ａの開口部２０、２１から正極及び負極が露呈しているのと同様に、他方の端面２ｂの開口部２０、２１からも正極及び負極が露呈している。そのため、電池パック２を装填室２５へ装填する際に二次電池の正極及び負極の配置された方向に気を付ければ、装填室２５に電池パック２の一方の端面２ａ側から装填しても、また他方の端面２ｂ側から装填してもよい。また、本実施形態では、正極に当接する正規突起２８と負極に当接する正規突起２９の高さが異なっている（図３参照）。そのため、正極と負極の配置方向を間違えて電池パック２を装填室２５に装填しても、蓋３３に設けられた負極接続部３６の正規突起２９が開口部２０の近傍の電池パック２の端面に当接するので、デジタルカメラ２に逆通電が起こることはない。
【００２２】
上記実施形態では、二次電池５、６を、その軸心を中心に回転可能に収容した電池パック２を用いており、さらに、装填室２５の正極及び負極端子２６、２７と蓋３３の接続端子３４には、高さの異なる正規突起２８、２９及び予備突起３０、３１を設けることで、二次電池５、６の正極及び負極での接触不良を低減させるようにしたが、これに代えて、例えば、一方の端面２ａが電池室２５側又は蓋３３側に配置されて電池パック２が装填室に装填された場合に、一方の端面２ａから露呈している正極及び負極に対して、装填室の正極及び負極端子２６，２７に設けられた突起と、蓋３３の正極及び負極接続部３５，３６の突起とが一方の端面２ａから露呈している正極及び負極の異なる位置で当接するように各突起を設けてもよい。
【００２３】
図７は装填室２５の真上から見た平面図、図８は蓋３３の裏側の平面図である。図７に示すように、装填室２５の正極及び負極端子５１、５２にも、電池パック２の正極及び負極と当接する突起５６、５７が設けられている。同様に、図８に示すように、蓋３３の裏に設けられた接続端子３４には、蓋３３をデジタルカメラ２３の本体に取り付けた時に、電池パック２の正極及び負極と当接する突起５６、５７を有した正極及び負極接続部６３，６４が設けられている。なお、正極及び負極端子５１、５２と正極及び負極接続部６３、６４に設けられている突起５６、５７の構成は同じある。
【００２４】
例えば、電池パック２の一方の端面２ａから露呈している正極及び負極について説明する。図９は一方の端面２ｂ側から電池パック２を装填室２５に装填した際に、図２の矢視Ａから見た平面図である。また、図１０は他方の端面２ａ側から電池パック２を装填室２５に装填した際に、図２の矢視Ｂから見た電池パック２の一方の端面２ａの平面図である。
【００２５】
一方の端面２ａ側から電池パック２を装填室２５に装填すると、一方の端面２ａの開口部２０、２１から露呈している正極及び負極には、図７に示すように装填室２４の正極及び負極端子５１，５２の正規突起５６、５７が当接する。このときの正極及び負極における突起２８，２９の当接位置は、図１０に示す斜線部７０、７１の位置である。
【００２６】
他方の端面２ｂ側から電池パック２が装填室２５に装填すると、図８に示す正極及び負極接続部６３，６４に設けられた突起５６、５７が、一方の端面２ａの開口部２０、２１から露呈している正極及び負極に当接する。このときの正極及び負極における突起５６、５７の当接位置は、図９に示す斜線部７３、７４の位置である。従って、接続端子３４の正極及び負極接続部６３、６４の突起５６、５７と装填室２５の正極及び負極端子５１、５２の突起５６、５７は、電池パック２の両端面から露呈している正極及び負極では異なる位置に当接するので、電池パック２の装填室２５への装填方向が異なること、突起５６、５７の当接位置が異なること、さらに、電池ケース７に収容されている二次電池５、６が、その軸方を中心に回転することによって、突起５６、５７が正極及び負極の同じ場所に当接し難い。そのため、突起５６、５７が正極及び負極に施されているニッケルメッキを傷つけることを低減できる。
【００２７】
なお、二次電池５、６は、その軸心を中心に回転可能に電池ケース７に収容されているが、二次電池５、６が電池ケース７内で固定されている電池パック２を使用してもよい。また、正極及び負極端子５１，５２と接続端子３４には突起５６、５７を設けたが、これに限らず、前述の正規突起２８、２９及び予備突起３０、３１を設けてもよい。さらに、単三乾電池を同形状の二次電池を電池パック２にせずにそれぞれ電池室２５に装填してもよい。
【００２８】
また、上記実施形態では、電池ケース７の凹部１０ａ〜１０ｄに二次電池５、６を嵌め込み、二つ折りにした電池ケース７を係止爪１５と被係止部材１６とを係合させることで電池パック２にしたが、２つのケース部材で二次電池５、６を着脱自在に挟み込んで収容して電池パックにしてもよい。この場合には、図１１に示すように、電池ケースは第一ケース部材７５、第二ケース部材７６から構成される。
【００２９】
第一及び第二ケース部材７５、７６には、二次電池５、６の周面にそれぞれ沿う円弧面を備えた凹部１０ａ、１０ｂが並列に２つ形成されている。第一及び第二ケース部材７５、７６の長さの短い両側面には、大きさの異なる半円状の切欠き１２，１３が設けられている。また、第一ケース部材７５の長手方向の両側面には、所定の間隔で係合爪１５が設けられており、第一及び第二ケース部材７５、７６の凹部１０を相対するように組合わせた際に、第二ケース部材７６の長手方向の両側面には、第一ケース部材７５の係合爪１５と対応する位置に被係合部材１６が設けられている。これにより、二次電池５、６を第一及び第二ケース部材７５、７６の凹部１０ａ、１０ｂに嵌め込んで係合爪１５と被係合部材１６で第一及び第二ケース部材７５、７６を固定することで電池パックとなる。            
【００３０】
なお、電池パックを構成する第一及び第二ケース部材７５、７６の二次電池５、６の正極及び負極を電池パック２から露呈させるための半円状の切欠き１２、１３や、二次電池５、６の円筒面を覆う電池ケースの厚み等は、図１に示す前述の電池ケース７と同じ構成である。また、第一ケース部材７５及び第二ケース部材７６は係止爪１５と被係止部材１６とを係合させて電池パックとしたが、これに限らず、第一及び第二ケース部材７５、７６をビス止めで固定して電池パックにしてもよい。また、電池ケースを構成する第一ケース部材７５及び第二ケース部材７６は、二次電池５、６の長手方向に沿って分割したが、二次電池５、６の円周方向に分割したものでもよい。
【００３１】
なお、本実施形態では、電池ケース７に収容された二次電池５、６は、電池パック２の姿勢に伴って二次電池５、６の軸心を中心に回転したが、電池ケース７の凹部１０ａ〜１０ｄに開口を設け、装填室２５に電池パック２を装填する際に、指で二次電池５、６の円筒部に触れることで二次電池５、６を回転させてもよい。また、二次電池５，６は単三乾電池と同形状のものを用いたが、これに限らず、単一、単二、単四などの乾電池と同形状の二次電池でもよい。また、電池ケース７には、２本の二次電池５、６を収容したが、２本以上の二次電池を一体に収容してもよい。
【００３２】
また、電池パックを使用する電子機器として、デジタルカメラ２３を用いたが、これに限らず、ノートパソコン、ビデオカメラ、電子手帳、ヘッドホンステレオ等の電子機器に使用してもよい。
【００３３】
なお、装填室２５の正規突起２８，２９及び予備突起３０，３１や蓋３３の正規突起２８、２９及び予備突起３０、３１を薄い金属板に一体に形成したが、正規突起２８、２９と予備突起３０、３１、の材質を替えてもよい。例えば、正規突起２８、２９の材質を柔らかく、予備突起３０、３１の材質を硬くする。これにより、常に正極及び負極に当接している正規突起２８、２９の材質が柔らかいので、二次電池５、６の正極及び負極に施されたニッケルメッキが傷つくことが軽減される。
【００３４】
また、本実施形態では、装填室２５と蓋３３に正規突起及び予備突起を備えた正極及び負極端子と接続端子とを備えたが、これに限らず、正極及び負極端子と接続端子とを共に装填室に設けてもよい。
【図面の簡単な説明】
【００３５】
【図１】電池パックの構成を示す外観斜視図である。
【図２】デジタルカメラの電池室の構成を示す外観斜視図である。
【図３】電池パックが電池室の装填されたときの断面図である。
【図４】電池室を真上から見た平面図である。
【図５】蓋の裏側に設けられた接続端子を説明する平面図である。
【図６】電池室に単三乾電池が装填されることを説明する斜視図である。
【図７】蓋の裏側に設けられた接続端子の正極及び負極接続部を説明する平面図である。
【図８】電池室の正極及び負極端子に設けられた正規突起の配置を示す平面図である。
【図９】蓋側の正極及び負極接続部に設けられた正規突起が当接する場所を示す平面図である。
【図１０】電池室の正極及び負極端子の正規突起が当接する場所を示す平面図である。
【図１１】第一及び第二ケース部材で構成される電池パックを示す斜視図である。
【符号の説明】
【００３６】
２  電池パック
５、６  二次電池
７  電池ケース
２４  電池室
２５  装填室
２６  正極端子
２７  負極端子
２８、２９  正規突起
３０，３１  負極端子
３３  蓋
３４  接続端子
７５  第１ケース部材
７６  第２ケース部材
【図１】
2005235650.tif 000003
【図２】
2005235650.tif 000004
【図３】
2005235650.tif 000005
【図４】
2005235650.tif 000006
【図５】
2005235650.tif 000007
【図６】
2005235650.tif 000008
【図７】
2005235650.tif 000009
【図８】
2005235650.tif 000010
【図９】
2005235650.tif 000011
【図１０】
2005235650.tif 000012
【図１１】
2005235650.tif 000013